【手続補正書】
【提出日】平成19年5月30日(2007.5.30)
【手続補正１】
【補正対象書類名】明細書
【補正対象項目名】特許請求の範囲
【補正方法】変更
【補正の内容】
【特許請求の範囲】
【請求項１】  情報処理装置とネットワークデバイスとにネットワークを介して接続されており、前記情報処理装置からの要求に応じて前記ネットワークデバイスを管理するネットワーク管理装置であって、
所定の権限を要する処理を前記ネットワークデバイスに対して実行する処理要求を前記情報処理装置から受信する処理要求受信手段と、
前記ネットワークデバイスのパスワードを無効化するコマンドが受信されたかを判定する判定手段と、
前記コマンドが受信されたと前記判定手段により判定された場合、前記ネットワークデバイスのパスワードを無効化する無効化要求を前記ネットワークデバイスに送信する無効化要求送信手段と、
を有することを特徴とするネットワーク管理装置。
【請求項２】  前記無効化要求に応じて、前記ネットワークデバイスのパスワードが無効化されたか否かを判定する無効化判定手段と、
無効化されたと前記無効化判定手段により判定された場合、前記所定の権限を要する処理を実行する実行手段を有することを特徴とする請求項１に記載のネットワーク管理装置。
【請求項３】  前記実行手段は、無効化されなかったと前記無効化判定手段により判定された場合、エラー処理を実行することを特徴とする請求項２に記載のネットワーク管理装置。
【請求項４】  前記実行手段は、無効化されなかったと前記無効化判定手段により判定された場合、その旨を前記情報処理装置に通知することを特徴とする請求項３に記載のネットワーク管理装置。
【請求項５】  前記実行手段は、ＳＮＭＰプロトコルを用いて、前記所定の権限を要する処理を、前記ネットワークデバイスで動作しているＳＮＭＰエージェントに行なわせることを特徴とする請求項２に記載のネットワーク管理装置。
【請求項６】  前記コマンドが受信されなかったと前記判定手段により判定された場合、パスワードの入力を要求する入力要求を前記情報処理装置に送信する入力要求送信手段を有することを特徴とする請求項１乃至５のいずれかに記載のネットワーク管理装置。
【請求項７】  前記入力要求に応じたパスワードと、前記ネットワークデバイスのパスワードとが一致するか否かを判定する判定手段を有することを特徴とする請求項６に記載のネットワーク管理装置。
【請求項８】  前記処理要求受信手段は、前記情報処理装置で動作しているＷＷＷブラウザからの前記処理要求を、前記ネットワーク管理装置で動作しているＷＷＷサーバを介して、受信することを特徴とする請求項１乃至７のいずれかに記載のネットワーク管理装置。
【請求項９】  前記無効化要求送信手段は、前記無効化要求を、ＳＮＭＰプロトコルを用いて、前記ネットワークデバイスで動作しているＳＮＭＰエージェントに送信することを特徴とする請求項１乃至８のいずれかに記載のネットワーク管理装置。
【請求項１０】  前記ネットワークデバイスは、印刷装置であることを特徴とする請求項１乃至９のいずれかに記載のネットワーク管理装置。
【請求項１１】  前記ネットワークデバイスは、ネットワークボードであることを特徴とする請求項１乃至９のいずれかに記載のネットワーク管理装置。
【請求項１２】  前記所定の権限を要する処理を指示するための画面を前記情報処理装置の表示部に表示させるための情報を前記情報処理装置に送信する情報送信手段を有することを特徴とする請求項１乃至１１のいずれかに記載のネットワーク管理装置。
【請求項１３】  情報処理装置とネットワークデバイスとにネットワークを介して接続されており、前記情報処理装置からの要求に応じて前記ネットワークデバイスを管理するネットワーク管理装置であって、
所定の権限を要する処理を前記ネットワークデバイスに対して実行する処理要求を前記情報処理装置から受信する処理要求受信手段と、
前記ネットワークデバイスのパスワードを無視するように指示するコマンドが受信されたか否かを判定する判定手段と、
前記コマンドが受信されたと前記判定手段により判定された場合、前記ネットワークデバイスのパスワードを無視して、前記所定の権限を要する処理を実行する実行手段と有することを特徴とするネットワーク管理装置。
【請求項１４】  前記実行手段は、ＳＮＭＰプロトコルを用いて、前記所定の権限を要する処理を、前記ネットワークデバイスで動作しているＳＮＭＰエージェントに行なわせることを特徴とする請求項１３に記載のネットワーク管理装置。
【請求項１５】  前記コマンドが受信されなかったと前記判定手段により判定された場合、パスワードの入力を要求する入力要求を前記情報処理装置に送信する入力要求送信手段を有することを特徴とする請求項１３或いは１４に記載のネットワーク管理装置。
【請求項１６】  前記入力要求に応じたパスワードと、前記ネットワークデバイスのパスワードとが一致するか否かを判定する判定手段を有することを特徴とする請求項１５に記載のネットワーク管理装置。
【請求項１７】  前記処理要求受信手段は、前記情報処理装置で動作しているＷＷＷブラウザからの前記処理要求を、前記ネットワーク管理装置で動作しているＷＷＷサーバを介して、受信することを特徴とする請求項１３乃至１６のいずれかに記載のネットワーク管理装置。
【請求項１８】  前記ネットワークデバイスは、印刷装置であることを特徴とする請求項１３乃至１７のいずれかに記載のネットワーク管理装置。
【請求項１９】  前記ネットワークデバイスは、ネットワークボードであることを特徴とする請求項１３乃至１７のいずれかに記載のネットワーク管理装置。
【請求項２０】  前記所定の権限を要する処理を指示するための画面を前記情報処理装置の表示部に表示させるための情報を前記情報処理装置に送信する情報送信手段を有することを特徴とする請求項１３乃至１９のいずれかに記載のネットワーク管理装置。
【請求項２１】  情報処理装置とネットワークデバイスとにネットワークを介して通信可能である場合に、前記情報処理装置からの要求に応じて前記ネットワークデバイスを管理するネットワーク管理方法であって、
所定の権限を要する処理を前記ネットワークデバイスに対して実行する処理要求を前記情報処理装置から受信する処理要求受信ステップと、
前記ネットワークデバイスのパスワードを無効化するコマンドが受信されたか否かを判定する判定ステップと、
前記コマンドが受信されたと前記判定ステップにより判定された場合、前記ネットワークデバイスのパスワードを無効化する無効化要求を前記ネットワークデバイスに送信する無効化要求送信ステップと有することを特徴とするネットワーク管理方法。
【請求項２２】  情報処理装置とネットワークデバイスとにネットワークを介して通信可能である場合に、前記情報処理装置からの要求に応じて前記ネットワークデバイスを管理するネットワーク管理プログラムであって、前記ネットワーク管理プログラムは、
所定の権限を要する処理を前記ネットワークデバイスに対して実行する処理要求を前記情報処理装置から受信する処理要求受信ステップと、
前記ネットワークデバイスのパスワードを無効化するコマンドが受信されたか否かを判定する判定ステップと、
前記コマンドが受信されたと前記判定ステップにより判定された場合、前記ネットワークデバイスのパスワードを無効化する無効化要求を前記ネットワークデバイスに送信する無効化要求送信ステップとをコンピュータに実行させることを特徴とするネットワーク管理プログラム。
【請求項２３】  情報処理装置とネットワークデバイスとにネットワークを介して通信可能である場合に、前記情報処理装置からの要求に応じて前記ネットワークデバイスを管理するネットワーク管理プログラムであって、前記ネットワーク管理プログラムは、
所定の権限を要する処理を前記ネットワークデバイスに対して実行する処理要求を前記情報処理装置から受信する処理要求受信ステップと、
前記ネットワークデバイスのパスワードを無視するように指示するコマンドが受信されたか否かを判定する判定ステップと、
前記コマンドが受信されたと前記判定ステップにより判定された場合、前記ネットワークデバイスのパスワードを無視して、前記所定の権限を要する処理を実行する実行ステップとをコンピュータに実行させることを特徴とするネットワーク管理プログラム。
【手続補正２】
【補正対象書類名】明細書
【補正対象項目名】００２１
【補正方法】変更
【補正の内容】
【００２１】
【課題を解決するための手段】
上記課題の少なくとも一つを解決するために、本願発明は、情報処理装置とネットワークデバイスとにネットワークを介して通信可能で、前記情報処理装置からの要求に応じて前記ネットワークデバイスを管理する場合に、所定の権限を要する処理を前記ネットワークデバイスに対して実行する処理要求を前記情報処理装置から受信し、前記ネットワークデバイスのパスワードを無効化するコマンドが受信されたか否かを判定し、前記コマンドが受信されたと判定された場合、前記ネットワークデバイスのパスワードを無効化する無効化要求を前記ネットワークデバイスに送信することを特徴とする。